(57)【要約】      （修正有）【課題】携帯電話の誤操作を防止し、安全性、操作性に優れた携帯端末用ホルダを提供する。【解決手段】本携帯端末用ホルダは、携帯端末を着脱自在に収納保持するためのホルダであって、正面壁、背面壁２、側壁８及び底面壁とを少なくとも備えた弾力性あるケース１からなり、上記ケースの前面壁３に、携帯端末へ複数の入力操作が可能となるような範囲だけ第一の開口部６を形成するとともに、その開口部とは異なる場所に単一の入力操作が可能となるように上記ケースの一部に第二の開口部１０を形成し、上記第二の開口部にその厚み方向に段差又は傾斜をもたせたことを特徴としている。【選択図】図１
0003159136.tif 000002
【実用新案登録請求の範囲】
【請求項１】
携帯端末を着脱自在に収納保持するためのホルダであって、正面壁、裏面壁、側面壁及
び底面壁とを少なくとも備えた弾力性あるケースからなり、前記ケースの前面壁を携帯端
末へ複数の入力操作が可能となるような範囲だけ第一の開口部を形成するとともに、その
開口領域とは異なる場所に単一の入力操作が可能となるように前記ケースの一部に第二の
開口部を形成し、前記第二の開口部にその厚み方向に段差又は傾斜をもたせたことを特徴
とする携帯端末用ホルダ。
【請求項２】
前期第一開口部は携帯端末における処理内容の選択のための操作入力部に対応し、前記
第二開口部は表示画面又は処理内容をリセット又は消去する操作入力部に対応して設けら
れることを特徴とする請求項１に記載の携帯端末用ホルダ。
【請求項３】
前記第二開口部は円又は楕円形状特徴とする請求項１又は２に記載の携帯端末用ホルダ
。
【考案の詳細な説明】
【技術分野】
【０００１】
本考案は携帯端末用ホルダに関する。
【背景技術】
【０００２】
従来、携帯端末として例えば携帯電話機やハンデイターミナルが知られている。これら
の携帯端末は、本体そのものを必要なとき即時に手のひらで把持して操作できるよう、ハ
ンドバックやポケットに収められている。
【０００３】
一方携帯端末を落下させて、破損したり、水没したりして故障するのを防ぐために、携
帯端末を格納するホルダがある。例えば特許文献１では、自動車内で携帯電話機を使用に
便利で、かつ邪魔にならない場所に確実に保持できるようにした携帯電話機用ホルダが示
されている。
【特許文献１】実開平５―１２２９５号公報
【考案の概要】
【考案が解決しようとする課題】
【０００４】
しかしこの携帯電話機用ホルダは、自動車内等で身体から離れた場所において運転中床
に転げ落ちて破損しない様に携帯電話機を固定するためのものであり、ホルダの前面及び
天井面が開放され、前面から携帯電話機を出し入れするために横に広がり易い係止辺を側
壁に設けたものである。そのためホルダの前面は殆ど開放されているので、ホルダを立て
ると携帯電話機が開口部から落下する危険がある。更に入力操作部が剥き出しのカードタ
イプの携帯電話機では、ホルダの開口部が広いので、操作中誤ってリセットキー（画面を
消したり、初期画面に戻したりするキー）を触って、操作のやり直し等で手間をかけてし
まう恐れがあった。
【０００５】
本考案はこの欠点を解消するとともに、安全性、操作性に優れた携帯端末用ホルダを提
供することを目的とする。特にホルダに収納した状態で、携帯端末の機能選択を容易に可
能とするとともに、リセットキーの誤操作を予防しつつ確実にその操作を容易に可能とす
る携帯端末用ホルダを提供することを目的とする。
【課題を解決するための手段】
【０００６】
上記目的を達成するために、本考案の携帯端末用ホルダは、携帯端末を着脱自在に収納
保持するためのホルダであって、正面壁、背面壁、側壁及び底面壁とを少なくとも備えた
弾力性あるケースからなり、上記ケースの前面壁に、携帯端末へ複数の入力操作が可能と
なるような範囲だけ第一の開口部を形成するとともに、その開口部とは異なる場所に単一
の入力操作が可能となるように上記ケースの一部に第二の開口部を形成し、上記第二の開
口部にその厚み方向に段差又は傾斜をもたせたことを特徴としている。
【０００７】
また本考案の携帯端末用ホルダは、第一開口部は携帯端末における処理内容の選択のた
めの操作入力部に対応し、上記第二開口部は表示画面又は処理内容をリセット又は消去す
る操作入力部に対応して設けられることを特徴としている。
【０００８】
また本考案の携帯端末用ホルダは、上記第二開口部は円又は楕円形状特徴としている。
【考案の効果】
【０００９】
本考案の携帯端末用ホルダによれば、ホルダに収納した携帯端末が落下する危険がなく
なり、かつ携帯端末ホルダに格納した状態での操作性が良い効果がある。
【００１０】
更に、携帯端末の機能選択を容易に可能とするとともに、リセットキーの誤操作を予防
しつつ確実にその操作を可能とする効果がある。
【図面の簡単な説明】
【００１１】
【図１】は本考案実施例の携帯電話機用ホルダの斜視図である。
【図２】は、本考案実施例の携帯電話機用ホルダの正面図である。
【図３】は携帯電話機用ホルダの開口部形成装置の説明図である。
【図４】は携帯電話機用ホルダの他の開口部形成装置の説明図である。
【考案を実施するための形態】
【００１２】
以下、本発明の実施例を携帯電話機用ホルダを例に図面に基づいて詳細に説明する。
【実施例】
【００１３】
図１は携帯電話機用ホルダの斜視図であり、図中１は数ミリ厚さの弾力のある皮革等で
構成された携帯電話機用ホルダとなるケースであり、箱形形状の構成となる。このケース
は樹脂材で構成することも可能である。２はその背面壁部分で開口部は設けていない、３
はケースの前面壁部分で携帯電話機４の表示画面５に対応した開口部６を設けている。表
示画面５は、液晶表示器で構成され、宛先、発信等の入力部分を示すメニュー画面７を表
示するもので、そのメニュー画面の該当部分に操作者が接触することで所望の入力ができ
るタッチパネル形式となっている。
【００１４】
８は、ホルダ１の背面壁２と前面壁３とを接続するための側面壁でその下部は開口して
いる。この側壁は対応する反対側にも同様な形式で構成される。９はホルダの底部壁で電
話機を底支えしている。この底部壁には携帯電話機の底部に設けられたマイク部に対応し
て不図示の開口部がある。
【００１５】
１０は、表示画面を初期画面に戻すための入力操作キー（リセットキー）に対応した開
口部で１本の指が入る程度の、径が１センチ前後の円形ある。楕円であっても良い。従っ
て誤って手の平でここを触ってもキー入力はできないようになっているので、触っても間
違って表示画面が元に戻ったり、それまでの端末機能の処理内容や入力したデータが消え
ることはない。１１は電話機の受話音声再生のスピーカ位置に対応して設けられた開口部
である。
【００１６】
図２は、携帯電話機用ホルダの正面図である。開口部１０は円形であり、かつ指が入る
深さ方向（ホルダの皮革等の厚み方向）に開口部の側面に段差１２を持たしている。これ
により開口部に指の力を加えることなくスムースにキーに触ることができてホルダ上にお
ける操作性がよい。又指の大小に関係なく容易に触ることもできる。
【００１７】
図３はこの段差を形成するための装置断面図である。１３は穴あけ用のパンチで、径が
異なる２段円柱構成とし、その上部１３−１の径がケース１の開口部１０に対応する皮革
１４の表面側の径に対応する。下部１３−２の径は段差１２の開口部の径に対応する。１
５は皮革１４を支えるダイであり、パンチ１３の下降により皮革１４に形成された穴の打
抜き皮革を落下させる空間１６を有する。パンチ１３は段差部１２が皮の深さ方向中央に
位置して形成されるようにパンチ１３の下降位置が予め設定されている。
【００１８】
これにより皮革１４が矢印方向へ移動して、これの開口予定位置がダイ１５の位置に達
したら、パンチ１３を下降して上がって開口形成し、段差１２の小径に相当する打抜き皮
革はダイ１５の空間１６を落下する。パンチの上部１３−１が当たる周囲部分は圧縮され
て、その結果段差つき開口部を形成する。開口部形成後は皮革１４は移動し次のケースの
開口部形成を連続して行う。
【００１９】
図４は開口部１０の穴側面に傾斜を持たせる装置断面図である。１７は傾斜穴あけパン
チで、先を円柱形状で根元がテーパ状の円錐形状としたものである。上部１７−１の径が
開口部１０の表面径に対応し、円柱の先端１７−２の径は開口部裏側の径に対応する。１
８は皮革１４を支えるダイであり、パンチ１７の下降により皮革１４の穴の打抜き皮革を
落下させる空間１９を有する。パンチ１７はテーパ部で傾斜部が適正に形成されるように
パンチ１７の下降位置が予め設定されている。
【００２０】
これにより皮革１４が矢印方向へ移動して、これの開口予定位置がダイ１８の位置に達
したら、パンチ１７を下降して上がって開口形成し、打抜き皮革はダイ１８の空間１９を
落下する。パンチ１７のテーパ部が当たる皮革部分は圧縮されて、その結果傾斜つき開口
部が形成される。開口部形成後は皮革１４は移動し次のケースの同様の開口部形成を連続
して行う。
【００２１】
尚図３、図４においてパンチ１３、１７にヒータを内蔵して加熱し、その状態で穴あけ
動作をさせることで開口部がよりきれいになる。本考案の携帯端末ホルダはハンデイター
ミナルやゲーム機にも適用できる。この場合、機能選択のための操作入力部分と画面リセ
ット等めったに使用しない操作入力部分とに分けてケースに開口部を設け、後者の開口部
に、上記した開口部を設けることで同様の操作性の良い効果が得られる。この開口部とし
ては指が１本入るのであれば楕円や角ばった開口でも可能である。
【符号の説明】
【００２２】
１    ケース
２    背面壁
３    前面壁
４    携帯電話機
５    表示画面
６    第一開口部
７    表示メニュー
８    側壁
１０  第ニ開口部
１２  段差
１３  パンチ
１４  ダイ
【図１】
0003159136.tif 000003
【図２】
0003159136.tif 000004
【図３】
0003159136.tif 000005
【図４】
0003159136.tif 000006
【手続補正書】
【提出日】平成22年3月10日(2010.3.10)
【手続補正１】
【補正対象書類名】実用新案登録請求の範囲
【補正対象項目名】請求項２
【補正方法】変更
【補正の内容】
【請求項２】
前記第一の開口部は携帯端末における処理内容の選択のための操作入力部に対応し、前記第二の開口部は表示画面又は処理内容をリセット又は消去する操作入力部に対応して設けられることを特徴とする請求項１に記載の携帯端末用ホルダ。
【手続補正２】
【補正対象書類名】実用新案登録請求の範囲
【補正対象項目名】請求項３
【補正方法】変更
【補正の内容】
【請求項３】
前記第二の開口部は円又は楕円形状特徴とする請求項１又は２に記載の携帯端末用ホルダ。